(57)【要約】【課題】２条刈りのコンバインにあって、既刈地側の分草具を外側に拡開して既刈地側の分草支持フレームと中央の分草支持フレームとの分草幅を若干広くして２条の穀稈を導入した場合、中央の分草支持フレームに過大の分草抵抗が加わり、ひいては、刈取性能に影響を及ぼす問題があった。【解決手段】本発明は、分草具（１１Ｃ）を支持する中央の分草支持フレーム（２０Ｃ）が、平面視で左右の引起しラグ（１２，１２）先端軌跡の中心に対して、前部側は既刈地側に位置し、刈刃側に接近する後部側ほど未刈地側に位置する屈曲形成されたコンバインの刈取装置である。【選択図】図５
2019092476.tif 000002
【特許請求の範囲】
【請求項１】
分草具（１１Ｃ）を支持する中央の分草支持フレーム（２０Ｃ）が、平面視で左右の引起しラグ（１２，１２）先端軌跡の中心に対して、前部側は既刈地側に位置し、刈刃側に接近する後部側ほど未刈地側に位置する屈曲形成されたコンバインの刈取装置。
【請求項２】
前記分草支持フレーム（２０Ｃ）の前後方向中間部に形成された屈曲部（２１）よりも前側の部位および後側の部位が、平面視で直線状に形成された請求項１記載のコンバインの刈取装置。
【請求項３】
前記中央の分草支持フレーム（２０Ｃ）の後端部が、左右の掻込ベルト（１５）又は左右の掻込スターホイル（１６）の合流部よりも未刈地側に配置された請求項１又は請求項２記載のコンバインの刈取装置。
【請求項４】
前記中央の分草支持フレーム（２０Ｃ）が、側面視において左右の分草支持フレーム（２０Ｌ，２０Ｒ）よりも直線形状の部分を長く形成された請求項１又は請求項２又は請求項３記載のコンバインの刈取装置。
【請求項５】
前記中央分草支持フレーム（２０Ｃ）が、側面視において前部側と後部側を繋ぐ直線形状部を刈刃（１４）と平行に構成してあることを特徴とする形成された請求項１又は請求項２又は請求項３又は請求項４記載のコンバインの刈取装置。
【発明の詳細な説明】
【技術分野】
【０００１】
この発明は、コンバインの刈取装置に関する。
【背景技術】
【０００２】
従来、コンバインの刈取装置における中央の分草支持フレームは、平面視で左右の引起しラグ先端軌跡の中心と平行な直線状に形成されていた（例えば、特許文献１参照）。
【先行技術文献】
【特許文献】
【０００３】
【特許文献１】特開２０１２−２００２３８号公報
【発明の概要】
【発明が解決しようとする課題】
【０００４】
上記従来構成のものでは、例えば、２条刈りのコンバインにあって、既刈地側の分草具を外側に拡開して既刈地側の分草支持フレームと中央の分草支持フレームとの分草幅を若干広くして２条の穀稈を導入した場合、中央の分草支持フレームに過大の分草抵抗が加わり、ひいては、刈取性能に影響を及ぼす問題があった。
【０００５】
本発明は、中央の分草支持フレーム形状を既刈地側の分草支持フレームとの間隔が刈刃側において広くなるように屈曲構成することで、分草抵抗を低減し、刈取性能の向上を図ることを目的とする。
【課題を解決するための手段】
【０００６】
この発明は、上記課題を解決すべく次のような技術的手段を講じた。
【０００７】
すなわち、請求項１記載の発明は、分草具（１１Ｃ）を支持する中央の分草支持フレーム（２０Ｃ）が、平面視で左右の引起しラグ（１２，１２）先端軌跡の中心に対して、前部側は既刈地側に位置し、刈刃側に接近する後部側ほど未刈地側に位置する屈曲形成されたコンバインの刈取装置とする。
【０００８】
請求項２記載の発明は、前記分草支持フレーム（２０Ｃ）の前後方向中間部に形成された屈曲部（２１）よりも前側の部位および後側の部位が、平面視で直線状に形成された請求項１記載のコンバインの刈取装置とする。
【０００９】
請求項３記載の発明は、前記中央の分草支持フレーム（２０Ｃ）の後端部が、左右の掻込ベルト（１５）又は左右の掻込スターホイル（１６）の合流部よりも未刈地側に配置された請求項１又は請求項２記載のコンバインの刈取装置とする。
【００１０】
請求項４記載の発明は、前記中央の分草支持フレーム（２０Ｃ）が、側面視において左右の分草支持フレーム（２０Ｌ，２０Ｒ）よりも直線形状の部分を長く形成された請求項１又は請求項２又は請求項３記載のコンバインの刈取装置とする。
【００１１】
請求項５記載の発明は、前記中央分草支持フレーム（２０Ｃ）が、側面視において前部側と後部側を繋ぐ直線形状部を刈刃（１４）と平行に構成してあることを特徴とする形成された請求項１又は請求項２又は請求項３又は請求項４記載のコンバインの刈取装置とする。
【発明の効果】
【００１２】
請求項１記載の発明によれば、２条の穀稈を導入しても既刈地側の分草支持フレームと中央の分草支持フレームとの間隔が刈刃側ほど広くなるように、中央分草支持フレームが刈刃近くで屈曲しているので、分草抵抗が低減し、穀稈が強引に押し倒したりすることがなくなり、刈取性能を大幅に向上させることができる。
【００１３】
請求項２記載の発明によれば、請求項１記載の発明の効果に加えて、中央側分草支持フレームの前後方向中間部に形成された屈曲部よりも前側の部位および後側の部位が、平面視で直線状に形成されるので、分草される穀稈は、分草幅内をスムーズに導入案内されることになり、刈刃による刈取り後も後方へ円滑に搬送される。
【００１４】
請求項３記載の発明によれば、請求項１又は請求項２記載の発明の効果に加えて、中央の分草支持フレームの後端部が、左右の掻込ベルト又は左右の掻込スターホイルの合流部よりも未刈地側に配置されるので、既刈地側の分草幅内に２条の穀稈が導入される場合でも、穀稈の流れが良好となり、引継ぎがスムーズに行われる。
【００１５】
請求項４記載の発明によれば、請求項１又は請求項２又は請求項３記載の発明の効果に加えて、中央の分草支持フレームが、側面視において左右の分草支持フレームよりも直線形状の部分が長く形成されているので、中央の分草支持フレームの接地面積が増加することになり、圃場面への突っ込みが少なくなる。
【００１６】
請求項５記載の発明によれば、請求項１又は請求項２又は請求項３又は請求項４記載の発明の効果に加えて、中央側分草支持フレームの側面視における直線形状部が刈刃と平行に構成してあるので、分草支持フレームと刈刃との間に一定間隔の隙間を設けることができ、泥や藁屑など排出が良好となり、メンテナンスが向上する。
【図面の簡単な説明】
【００１７】
【図１】コンバインの側面図
【図２】コンバインの平面図
【図３】刈取部の要部の平面図
【図４】同上要部の平面図
【図５】同上要部の平面図
【図６】刈取部の要部の側面図
【図７】刈取部の要部の側面図
【発明を実施するための形態】
【００１８】
この発明のコンバインの刈取装置に係る実施例を図面に基づき説明する。
【００１９】
図１及び図２は、コンバインの側面図と平面図を示すものであり、左右一対の走行クローラ２を備えた走行車体１上には、後部に脱穀装置（脱穀部）３を、その前方部に刈取部４を設置している。刈取部４の横側部には運転席５、運転席前側のフロント操作ボックス６、運転席左横側のサイド操作ボックス７等からなる運転操作部を備え、更に、その運転操作部の後方には脱穀粒を一時的に貯留するグレンタンク８を装備している。グレンタンク８内の穀物は、排出オーガ９によって機外に排出するようになっている。
【００２０】
フロント操作ボックス６には、左右方向の操作で機体の進行方向を操向制御し、前後方向の操作で刈取部４を昇降制御するパワステレバー１０等が設置されている。
【００２１】
刈取部４は、立毛する穀稈を左右に分草する左右の分草具１１Ｌ，１１Ｒ及び中央の中分草具１１Ｃと、分草後の穀稈を引き起す引起しラグ１２を有した左右一対の穀稈引起し装置１３Ｌ，１３Ｒと、引起し後の穀稈を刈り取るバリカン式刈刃装置１４と、刈取後の穀稈を掻込搬送する掻込ベルト１５及び掻込スターホイル１６等の掻込搬送装置、掻込搬送後の穀稈を脱穀部３に揚上搬送して供給する揚上搬送装置（扱深さ調節用搬送供給装置）１８等からなり、車体に対して上下に昇降可能に装備している。
【００２２】
刈取部４の未刈地側横側部には、外側方に張り出す分草作用姿勢と機体側に収納する収納姿勢とに切替可能なナローガイド１９が設けられている。
【００２３】
右側（既刈地側）の分草具１１Ｒは、先端側が左内側方又は右外側方に向けて回動するよう分草支持フレーム２０Ｒの途中部に設けた上下方向の縦軸回りに回動自在に枢着され、運転位置から手動操作できるようになっている。
【００２４】
そして、通常の２条刈作業を行う場合は、右側の分草具１１Ｒは閉位置状態にあって、左右の分草具１１Ｌ，１１Ｒと中分草具１１Ｃとの間に１条ずつの穀稈が導入され、左右合わせて２条分の穀稈が刈刃側に分草案内されるようになっている。
【００２５】
また、右分草具１１Ｒを外側方に開いた時は、中分草具１１Ｃと右分草具１１Ｒとの間に２条の穀稈が導入され、中分草具１１Ｃと左分草具１１Ｌとの間に導入される１条の穀稈と合わせて３条の穀稈が導入されるようになっている。
【００２６】
従って、既刈地側の分草幅は、予め未刈地側の分草幅よりも若干広くなるように設定されている。
【００２７】
中央の中分草具１１Ｃを支持する分草支持フレーム２０Ｃは、平面視で左右の引起しラグ１２，１２の先端軌跡の中心より前方側は既刈地側に位置し後方の刈刃１４側ほど未刈地側に向けて屈曲傾斜するよう屈曲傾斜部２１を設けた構成としている。つまり、既刈地側の通常の分草幅Ｄ１が刈刃１４に近いほど分草幅Ｄ２となるようＤ１＜Ｄ２の構成としている。
【００２８】
また、屈曲傾斜部２１の前後端側は、平面視で前後方向に平行な直線形状に形成している。しかも、その直線形状は、上下方向で平行にした構成としている。
【００２９】
なお、分草支持フレーム２０Ｃの後端部は、左右の分草フレームと同様に刈刃装置１４の後側に沿う横方向の伝動ボックス２２に連結している。
【００３０】
また、分草支持フレーム２０Ｃの後端部は、前後方向に直線形状であるが、左右の掻込ベルト１５及び左右の掻込スターホイル１６の合流部より未刈地側となる位置に設定している。これによれば、既刈地側は２条分の穀稈が導入されることがあるため、搬送経路が確保され、穀稈の流れが良好で引継ぎがスムーズに行える。
【００３１】
中央の分草支持フレーム２０Ｃは、図６に示すように、側面視における直線形状部Ａが左右の分草支持フレームの直線形状部Ｂより長く構成してあることで、フローティング効果が増大する。また、分草支持フレーム２０Ｃの側面視における直線形状部Ａが刈刃１４と平行に構成しておくことで（図７参照）、分草支持フレームと刈刃との間に一定間隔の隙間を確保することができ、泥や藁屑などの排出が行い易く、メンテナンス性が良くなる。
【００３２】
刈取部４への刈取伝動軸を内装する上下動可能な刈取支持フレーム２３の横伝動ボックス２２に対する取付面よりも未刈地側に中央の分草支持フレーム２０Ｃが配置されている。
【００３３】
また、分草支持フレーム２０Ｃは、刈刃装置１４上を通して装着するが、近くの刈刃を押さえる刃押さ具２４の上方を避けて装着している。
【符号の説明】
【００３４】
４    刈取部
１１Ｌ  左分草具（未刈地側）
１１Ｒ  右分草具（既刈地側）
１１Ｃ  中分草具
１２    引起しラグ
１３    引起し装置
１４    刈刃装置
１５    掻込ベルト
１６    掻込スターホイル
２０Ｌ  左分草支持フレーム
２０Ｒ  右分草支持フレーム
２０Ｃ  中央分草支持フレーム
２１    屈曲傾斜部
【図１】
2019092476.tif 000003
【図２】
2019092476.tif 000004
【図３】
2019092476.tif 000005
【図４】
2019092476.tif 000006
【図５】
2019092476.tif 000007
【図６】
2019092476.tif 000008
【図７】
2019092476.tif 000009